(57)【特許請求の範囲】
【請求項１】
通信衛星との間で無線電波信号を送受信するアンテナを有し、屋外に設置される屋外装置と、
前記アンテナを介して受信される無線電波信号の受信レベルを送信し、屋内に設置される屋内装置と、
前記屋内装置から前記受信レベルを受信し、前記受信される無線電波信号に基づく同期信号が確認される前記アンテナの設置位置および設置方向を特定するガイド画面を表示部に表示する電子機器とを備え、
前記ガイド画面は、前記受信レベルの強さを示す受信レベル情報と、前記同期信号が確認されたか否かを示す同期情報とが同時に表示された画面を含む、衛星通信システム。
【請求項２】
前記ガイド画面は、前記電子機器が有するカメラにより取得されたカメラ画像と、前記電子機器の位置および前記カメラの向きに応じて前記カメラ画像上を移動するように構成され、前記電子機器に対する前記通信衛星の相対的な位置を示す第１マークと、前記第１マークの移動目標として前記カメラ画像上に固定的に表示された第２マークとが表示された第１画面と、前記受信レベル情報と前記同期情報とが同時に表示された第２画面とを含み、
前記第１マークと前記第２マークとが前記カメラ画像上で重なった場合における前記電子機器の位置および前記カメラの向きは、前記アンテナの目標設置位置および概略的な目標設置方向をそれぞれ示す、請求項１に記載の衛星通信システム。
【請求項３】
前記第１画面には、前記カメラの向きに応じて前記カメラ画像上で移動するように構成された第３マークがさらに表示されており、
前記第３マークと前記第２マークとが前記カメラ画像上で重なった場合における前記カメラの向きは、前記アンテナの詳細な目標設置方向を示す、請求項２に記載の衛星通信システム。
【請求項４】
前記電子機器は、前記同期信号が確認された場合に、その旨を示す第１の音声を音声出力部を介して出力する、請求項１に記載の衛星通信システム。
【請求項５】
前記電子機器は、さらに、前記受信レベルの強さに応じた第２の音声を前記音声出力部を介して出力する、請求項４に記載の衛星通信システム。
【請求項６】
前記電子機器は、アップリンクアクセステスト時における前記屋内装置に対する各種設定を行うための設定手段として用いることが可能である、請求項１に記載の衛星通信システム。
【請求項７】
通信衛星との間で無線電波信号を送受信するアンテナを有し、屋外に設置される屋外装置と、前記アンテナを介して受信される無線電波信号の受信レベルを送信し、屋内に設置される屋内装置と、電子機器とを備えた衛星通信システムにおけるアンテナ調整方法であって、
前記電子機器を用いて、前記屋内装置から前記受信レベルを受信し、前記受信される無線電波信号に基づく同期信号が確認される前記アンテナの設置位置および設置方向を特定するガイド画面を表示部に表示することと、
前記ガイド画面を用いて前記設置位置および設置方向を調整する第１の調整と、
前記ガイド画面に含まれる、前記受信レベルの強さを示す受信レベル情報と、前記同期信号が確認されたか否かを示す同期情報とが同時に表示された画面を用いて前記設置位置および設置方向を前記第１の調整よりも細かく調整する第２の調整とを備える、アンテナ調整方法。
【請求項８】
前記ガイド画面に含まれる第１画面であって、前記電子機器が有するカメラにより取得されたカメラ画像と、前記電子機器の位置および前記カメラの向きに応じて前記カメラ画像上を移動するように構成され、前記電子機器に対する前記通信衛星の相対的な位置を示す第１マークと、前記第１マークの移動目標として前記カメラ画像上に固定的に表示された第２マークとが表示された第１画面を用いて、前記第１マークと前記第２マークとが前記カメラ画像上で重なった場合における前記電子機器の位置および前記カメラの向きを、それぞれ、前記アンテナの目標設置位置および概略的な目標設置方向として、前記第１の調整を行う、請求項７に記載のアンテナ調整方法。
【請求項９】
前記第１画面には、前記カメラの向きに応じて前記カメラ画像上で移動するように構成された第３マークがさらに表示されており、
前記第３マークと前記第２マークとが前記カメラ画像上で重なった場合における前記カメラの向きを、前記アンテナの詳細な目標設置方向として、前記第１の調整を行う、請求項８に記載のアンテナ調整方法。
【発明の詳細な説明】
【技術分野】
【０００１】
本発明の実施形態は、衛星通信システム、およびアンテナ調整方法に関する。
【背景技術】
【０００２】
従来、通信衛星との間で無線電波信号を送受信するアンテナを有する屋外装置と、アンテナを介して受信された無線電波信号の変復調などを行う屋内装置とを備えた衛星通信システムが知られている。このような衛星通信システムを設置する際には、受信された無線電波信号の受信レベルを屋内装置側で確認する屋内装置側の作業員と、受信された無線電波信号に基づく同期信号が屋内装置側で確認されるように、屋内装置側の作業員と連絡を取り合いながらアンテナの位置および方向を調整する屋外装置側の作業員との少なくとも２人の作業員が必要であった。そこで、衛星通信システムの設置作業員を減らすために、受信された無線電波信号の受信レベルを屋内装置側から屋外装置側に無線で送信する技術が提案されている。
【先行技術文献】
【特許文献】
【０００３】
【特許文献１】特開２００３−１０１４６７号公報
【発明の概要】
【発明が解決しようとする課題】
【０００４】
上記のような技術では、同期信号が確認されるアンテナの設置位置および設置方向を簡単に特定することができれば望ましい。
【課題を解決するための手段】
【０００５】
実施形態による衛星通信システムは、屋外に設置される屋外装置と、屋内に設置される屋内装置と、電子機器とを具備する。屋外装置は、通信衛星との間で無線電波信号を送受信するアンテナを有する。屋内装置は、アンテナを介して受信される無線電波信号の受信レベルを送信する。電子機器は、屋内装置から受信レベルを受信し、受信される無線電波信号に基づく同期信号が確認されるアンテナの設置位置および設置方向を特定するガイド画面を表示部に表示する。ガイド画面は、受信レベルの強さを示す受信レベル情報と、同期信号が確認されたか否かを示す同期情報とが同時に表示された画面を含む。
【図面の簡単な説明】
【０００６】
【図１】図１は、本実施形態による衛星通信システムの全体構成の一例を示したブロック図である。
【図２】図２は、本実施形態による表示端末の内部構成の一例を示したブロック図である。
【図３】図３は、本実施形態による表示端末の制御部の機能的構成の一例を示したブロック図である。
【図４】図４は、本実施形態による表示端末に表示される登録画面の一例を示した図である。
【図５】図５は、本実施形態による表示端末に表示される第１ガイド画面の一例を示した図である。
【図６】図６は、本実施形態による表示端末に表示される第２ガイド画面の一例を示した図である。
【図７】図７は、本実施形態による表示端末に表示される第２ガイド画面の一例を示した図である。
【図８】図８は、本実施形態による表示端末に第１ガイド画面が表示される際に実行される処理フローの一例を示したフローチャートである。
【図９】図９は、本実施形態による表示端末に第２ガイド画面が表示される際に実行される処理フローの一例を示したフローチャートである。
【発明を実施するための形態】
【０００７】
以下、実施形態を図面に基づいて説明する。
【０００８】
まず、図１を参照して、本実施形態による衛星通信システム１００の構成の一例について説明する。
【０００９】
図１に示すように、衛星通信システム１００は、屋外側に設置される屋外装置１０と、屋内側に設置される屋内装置２０とを備える。このような衛星通信システム１００は、地球上の各地に分散して設置される。
【００１０】
屋外装置１０は、パラボラアンテナ１１と、ＯＭＴ（Ｏｒｔｈｏ  Ｍｏｄｅ  Ｔｒａｎｓｄｕｃｅｒ）１２と、ＨＰＣ（Ｈｉｇｈ  Ｐｏｗｅｒ  Ｃｏｎｖｅｒｔｅｒ）１３と、ＬＮＣ（Ｌｏｗ  Ｎｏｉｓｅ  Ｃｏｎｖｅｒｔｅｒ）１４とを主として備える。また、屋内装置２０は、合成分配部２１と、変復調部２２とを主として備える。
【００１１】
パラボラアンテナ１１は、通信衛星３０との間で無線電波信号を送受信するために設けられている。たとえば、パラボラアンテナ１１は、ＣＳＣ（Ｃｏｍｍｏｎ  Ｓｉｇｎａｌｌｉｎｇ  Ｃｈａｎｎｅｌ）信号を受信する。ＣＳＣ信号とは、各地に設置された複数の衛星通信システム１００を制御する中央制御局（図示せず）から通信衛星３０を介して送信される制御信号である。
【００１２】
ＯＭＴ１２は、パラボラアンテナ１１を介して受信された無線電波信号を垂直偏波と水平偏波とに分離するように構成されている。ＨＰＣ１３は、屋内装置２０側から出力された信号を衛星通信に適した周波数にアップコンバートして、ＯＭＴ１２に送信信号として出力するように構成されている。また、ＬＮＣ１４は、ＯＭＴ１２から出力された受信信号をダウンコンバートして屋内装置２０側に出力するように構成されている。これらのＨＰＣ１３およびＬＮＣ１４は、それぞれ、送信信号および受信信号を増幅するアンプとしての機能も有する。
【００１３】
合成分配部２１は、送信信号および受信信号の合成・分配を行うように構成されている。変復調部２２は、送信信号および受信信号の変調・復調を行うように構成されている。より具体的には、変復調部２２は、ＣＳＣモデム２２ａと、２個の個別ＩＰ（Ｉｎｔｅｒｎｅｔ  Ｐｒｏｔｏｃｏｌ）通信モデム２２ｂとを有する。ＣＳＣモデム２２ａは、ＣＳＣ信号の変調・復調を行うための専用の変復調器である。個別ＩＰ通信モデム２２ｂは、ＣＳＣ信号以外の一般的なデータ信号の変調・復調を行うための変復調器である。なお、図１では、個別ＩＰ通信モデム２２ｂの個数が２個である例を示したが、個別ＩＰ通信モデム２２ｂの個数は１個であってもよいし、３個以上であってもよい。
【００１４】
ここで、本実施形態では、屋内装置２０には、無線ＬＡＮ（Ｌｏｃａｌ  Ａｒｅａ  Ｎｅｔｗｏｒｋ）ルータ４０が接続されている。そして、屋内装置２０は、ＣＳＣモデム２２ａに入力されるＣＳＣ信号の受信レベルの強さを示す受信レベル情報と、ＣＳＣモデム２２ａにおいてＣＳＣ信号に基づく同期信号が確認されたか否かを示す同期情報とを、無線ＬＡＮルータ４０を介して送信するように構成されている。
【００１５】
また、本実施形態では、衛星通信システム１００は、タブレットや携帯型のコンピュータなどの表示端末５０を備える。表示端末５０は、「電子機器」の一例である。表示端末５０は、無線ＬＡＮルータ４０を介して屋内装置２０から送信された受信レベル情報および同期情報を受信することが可能なように構成されている。
【００１６】
以下、図２を参照して、表示端末５０の内部構成の一例についてより具体的に説明する。
【００１７】
図２に示すように、表示端末５０は、通信部５１と、表示部５２と、操作部５３と、カメラモジュール５４と、ＧＰＳ（Ｇｌｏｂａｌ  Ｐｏｓｉｔｉｏｎｉｎｇ  Ｓｙｓｔｅｍ）ユニット５５と、スピーカユニット５６と、制御部５７と、メモリ部５８とを備える。なお、スピーカユニット５６は、「音声出力部」の一例である。
【００１８】
通信部５１は、無線ＬＡＮルータ４０との間で無線通信を行うためのインターフェースである。また、表示部５２は、画像を表示可能なＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）ディスプレイなどにより構成されている。また、操作部５３は、表示部５２を用いたタッチパネルなどにより構成されている。
【００１９】
カメラモジュール５４は、カメラ画像（写真）を取得（撮像）するためのデバイスである。また、ＧＰＳユニット５５は、人工衛星を利用して表示端末５０の現在位置情報を取得するためのデバイスである。また、スピーカユニット５６は、音声を出力するためのデバイスである。
【００２０】
制御部５７は、ＯＳ（Ｏｐｅｒａｔｉｎｇ  Ｓｙｓｔｅｍ）や各種アプリケーションプログラムなどのコンピュータプログラムを実行することにより、表示端末５０の各部の動作を制御するように構成されている。これらのコンピュータプログラムは、メモリ部５８に記憶されている。
【００２１】
ここで、本実施形態では、表示端末５０は、パラボラアンテナ１１を最適な位置および方向に設置するためのガイドとして用いることが可能なように構成されている。なお、最適な位置および方向とは、通信衛星３０との間に障害物が無く、かつ、ＣＳＣモデム２２ａにおいてＣＳＣ信号に基づく同期信号が確認されるような位置および方向である。
【００２２】
上記のようなガイド機能は、メモリ部５８にインストールされたアプリケーションプログラム（以下、ガイドプログラムという）を制御部５７が読み出して実行することにより実現される。すなわち、作業員は、屋外装置１０の近傍の位置で表示端末５０を操作してガイドプログラムを呼び出すことにより、パラボラアンテナ１１の適切な設置位置および設置方向を特定することができる。
【００２３】
以下、図３〜図７を参照して、ガイドプログラムを実行するための制御部５７の機能的構成の一例と、ガイドプログラムが実行された場合に表示部５２に表示される画面の一例とについてより具体的に説明する。
【００２４】
図３に示すように、制御部５７は、機能的構成として、入力制御部５７ａと、通信制御部５７ｂと、演算部５７ｃと、表示制御部５７ｄと、音声制御部５７ｅとを主として備える。
【００２５】
入力制御部５７ａは、操作部５３からのユーザの操作入力を受け付けるように構成されている。また、通信制御部５７ｂは、通信部５１を制御することにより、屋内装置２０から受信レベル情報および同期情報を取得するように構成されている。また、演算部５７ｃは、表示端末５０の各部を制御するための各種演算処理を行うように構成されている。
【００２６】
表示制御部５７ｄは、表示部５２への各種情報の表示を制御するように構成されている。また、音声制御部５７ｅは、スピーカユニット５６を介して出力される音声を制御するように構成されている。
【００２７】
ここで、本実施形態では、表示制御部５７ｄは、ガイドプログラムが呼び出された場合に、まず、図４に示すような登録画面ＩＭ１を表示部５２に表示するように構成されている。登録画面ＩＭ１は、表示端末５０の現在位置を登録するためのものである。作業員は、パラボラアンテナ１１を設置する前に、まず、パラボラアンテナ１１を設置する予定の屋外の場所でガイドプログラムを呼び出して、登録画面ＩＭ１上で表示端末５０の現在位置を登録する。現在位置の登録方法としては、ＧＰＳユニット５５を用いて自動で現在位置を測定する方法や、予め登録された複数の位置情報の中から現在位置に近い１つの位置情報を選択する方法などが考えられる。
【００２８】
登録画面ＩＭ１上で現在位置が登録されると、表示制御部５７ｄは、図５に示すような第１ガイド画面ＩＭ２を表示部５２に表示する制御を行う。この第１ガイド画面ＩＭ２は、パラボラアンテナ１１の設置位置および概略的な設置方向を特定するためのガイドとして機能する。図５に示すように、第１ガイド画面ＩＭ２には、カメラ画像ＩＭ２ａと、カメラ画像ＩＭ２ａ上に表示された第１マークＭ１、第２マークＭ２および第３マークＭ３とが表示されている。
【００２９】
カメラ画像ＩＭ２ａは、カメラモジュール５４により取得された画像である。また、第１マークＭ１は、演算部５７ｃにより算出された、表示端末５０に対する通信衛星３０の相対的な位置を示すマークである。第１マークＭ１は、表示端末５０の位置およびカメラモジュール５４の向きに応じてカメラ画像ＩＭ２ａ上を移動するように構成されている。
【００３０】
第２マークＭ２は、第１マークＭ１の移動目標としてカメラ画像ＩＭ２ａ上に固定的に表示されたマークである。本実施形態では、第２マークＭ２と第１マークＭ１とがカメラ画像ＩＭ２ａ上で重なった場合における表示端末５０の位置およびカメラモジュール５４の向きが、パラボラアンテナ１１の目標設置位置および概略的な目標設置方向をそれぞれ示す。
【００３１】
すなわち、本実施形態では、作業者は、パラボラアンテナ１１の設置位置および概略的な設置方向を探すために、まず、第１ガイド画面ＩＭ２が表示された表示端末５０を上空にかざしながら、円形の第２マークＭ２の内側に第１マークＭ１を位置させるように表示端末５０の位置および向きを種々に変更する。この作業を、作業者は、通信衛星３０との間の障害物の有無をカメラ画像ＩＭ２ａにより確認しながら行う。そして、作業者は、通信衛星３０との間に障害物が無い状態で第２マークＭ２の内側に第１マークＭ１を位置させることができた時点で、その時点における表示端末５０の位置に、その時点における表示端末５０（カメラモジュール５４）の向きと同じ方向に向けてパラボラアンテナ１１を設置する。このようにして、作業者は、通信衛星３０との間に障害物が無い、衛星通信に適したパラボラアンテナ１１の設置位置および設置方向を特定することができる。
【００３２】
なお、第３マークＭ３も、第１マークＭ１と同様に、カメラモジュール５４の向きに応じてカメラ画像ＩＭ２ａ上を移動するように構成されている。この第３マークＭ３は、前述したように通信衛星３０との間に障害物が無い位置および方向に設置したパラボラアンテナ１１の方向をより細かく調整するためのものである。本実施形態では、第３マークＭ３と第２マークＭ２とがカメラ画像ＩＭ２ａ上で重なった場合におけるカメラモジュール５４の向きが、パラボラアンテナ１１の詳細な目標設置方向を示す。
【００３３】
すなわち、本実施形態では、作業者は、第２マークＭ２の内側に第１マークＭ１を位置させることができた後、さらに、第２マークＭ２の内側に第３マークＭ３を位置させるように表示端末５０の向きを種々に変更する。そして、作業者は、第２マークＭ２の内側に第３マークＭ３を位置させることができた時点で、その時点における表示端末５０（カメラモジュール５４）の向きと同じ方向を向くようにパラボラアンテナ１１の設置方向を調整する。このようにして、作業者は、通信衛星３０との間に障害物が無く、かつ、ＣＳＣモデム２２ａにおいて同期信号が確認されるような、衛星通信に最適なパラボラアンテナ１１の設置方向を特定することができる。
【００３４】
上記の説明では、第３マークＭ３が表示された第１ガイド画面ＩＭ２を用いる例を示したが、本実施形態では、第３マークＭ３が表示されていない第１ガイド画面（図示せず）を用いることも可能である。この場合、パラボラアンテナ１１の細かい方向調整については、後述する第２ガイド画面ＩＭ３ａおよびＩＭ３ｂ（図６および図７参照）を用いて行うことができる。
【００３５】
なお、図５に示した第１ガイド画面ＩＭ２には、上記カメラ画像ＩＭ２ａなどの他、通信衛星３０の位置を示す仰角（Ａｚ：Ａｚｉｍｕｔｈ  ａｎｇｌｅ）、仰角（Ｅｌ：Ｅｌｅｖａｔｉｏｎ  Ａｎｇｌｅ）および偏波角（Ｐｏｌ：Ｐｏｌａｒｉｚａｔｉｏｎ  Ａｎｇｌｅ）なども表示されている。また、図５に示した第１ガイド画面ＩＭ２には、次のようなボタンＢ１〜Ｂ３も表示されている。ボタンＢ１は、表示画面を第１ガイド画面ＩＭ２から前述した登録画面ＩＭ１（図４参照）に切り替えるためのボタンである。ボタンＢ２は、表示画面を第１ガイド画面ＩＭ２から後述する第２ガイド画面ＩＭ３ａおよびＩＭ３ｂ（図６および図７参照）に切り替えるためのボタンである。ボタンＢ３は、ガイドプログラムを終了させるためのボタンである。
【００３６】
第１ガイド画面ＩＭ２上でボタンＢ２を押下する（タッチする）操作が行われると、表示制御部５７ｄは、図６に示すような第２ガイド画面ＩＭ３ａ（または図７に示すような第２ガイド画面ＩＭ３ｂ）を表示部５２に表示する制御を行う。この第２ガイド画面ＩＭ３ａ（ＩＭ３ｂ）は、パラボラアンテナ１１の詳細な設置方向を特定するためのガイドとして機能する。
【００３７】
ここで、本実施形態では、図６および図７に示すように、第２ガイド画面ＩＭ３ａおよびＩＭ３ｂには、通信制御部５７ｂにより取得された、ＣＳＣ信号の受信レベルの強さを示す受信レベル情報と、ＣＳＣ信号に基づく同期信号が確認されたか否かを示す同期情報とが同時に表示されている。
【００３８】
図６および図７では、受信レベル情報は、第２ガイド画面ＩＭ３ａ（ＩＭ３ｂ）のうちの領域Ａ１内に表示された数値と、その数値の右側に表示された目盛り上をスライド移動するスライドバーＳＢとによって表される。また、図６および図７では、同期情報は、第２ガイド画面ＩＭ３ａ（ＩＭ３ｂ）のうちの領域Ａ２内に表示された文字列により表される。より具体的には、図６に示した第２ガイド画面ＩＭ３ａのうちの領域Ａ２内に表示された「ＵＷ＿ＵＮＬＯＣＫ」という文字列は、同期信号がまだ確認されていないこと（同期がまだ完了していないこと）を表している。また、図７に示した第２ガイド画面ＩＭ３ｂのうちの領域Ａ２内に表示された「ＵＷ＿ＬＯＣＫ」という文字列は、同期信号が確認されたこと（同期が完了したこと）を表している。
【００３９】
上記領域Ａ１およびＡ２の表示内容は、パラボラアンテナ１１の設置方向に応じて変動する。すなわち、本実施形態では、図６に示した第２ガイド画面ＩＭ３ａが表示端末５０に表示されている場合、作業者は、第２ガイド画面ＩＭ３ａを見ながらパラボラアンテナ１１の方向を種々に変更することにより、領域Ａ１内に表示された数値がより大きくなるようなパラボラアンテナ１１の設置方向を探す。そして、作業者は、このようなパラボラアンテナ１１の方向調整作業を、図７に示した第２ガイド画面ＩＭ３ｂが表示端末５０に表示された時点（領域Ａ２内の文字列が図６の「ＵＷ＿ＵＮＬＯＣＫ」から図７の「ＵＷ＿ＬＯＣＫ」に切り替わった時点）で止める。このようにして、作業者は、受信レベルが強く、かつ、同期信号を確認可能な、衛星通信に最適なパラボラアンテナ１１の設置方向を特定することができる。
【００４０】
なお、本実施形態では、図６および図７に示すように、第２ガイド画面ＩＭ３ａおよびＩＭ３ｂにも、前述した第１ガイド画面ＩＭ２（図５参照）と同様に、通信衛星３０の位置を示す仰角（Ａｚ）、仰角（Ｅｌ）および偏波角（Ｐｏｌ）などが表示されている。また、図６および図７に示すように、第２ガイド画面ＩＭ３ａおよびＩＭ３ｂには、次のようなボタンＢ４〜Ｂ６も表示されている。ボタンＢ４は、表示画面を第２ガイド画面ＩＭ３ｂから前述した第１ガイド画面ＩＭ２（図５参照）に切り替えるためのボタンである。ボタンＢ５は、ガイドプログラムを終了させるためのボタンである。ボタンＢ６は、アップリンクアクセステスト（ＵＡＴ）を開始するためのボタンである。
【００４１】
アップリンクアクセステストとは、通信衛星３０を介して正常にデータを送信できるか否かを確認するための試験である。この試験では、必要に応じて屋内装置２０の設定を変更する場合がある。この場合において、本実施形態では、表示端末５０は、アップリンクアクセステスト時における屋内装置２０に対する各種設定を行うための設定手段として用いることが可能なように構成されている。
【００４２】
すなわち、本実施形態では、表示制御部５７ｄは、第２ガイド画面ＩＭ３ａまたはＩＭ３ｂ上でボタンＢ６を押下する（タッチする）操作が行われた場合に、屋内装置２０に対する各種設定を行うための設定画面（図示せず）を表示部５２に表示する制御を行うように構成されている。この設定画面を用いて、作業者は、アップリンクアクセステスト時に必要な屋内装置２０に対する各種設定を屋外から遠隔で行うことができる。
【００４３】
なお、本実施形態では、音声制御部５７ｅは、前述したようなガイド画面（第１ガイド画面ＩＭ２、第２ガイド画面ＩＭ３ａまたはＩＭ３ｂ）が表示部５２に表示されている際に、ＣＳＣモデム２２ａにおいて同期信号が確認された場合、その旨を通知する音声（第１の音声）をスピーカユニット５６を介して出力する制御を行うように構成されている。また、音声制御部５７ｅは、ガイド画面が表示部５２に表示されている際に、受信レベルの強さに応じた音声（第２の音声）をスピーカユニット５６を介して出力する制御を行うように構成されている。これにより、作業者は、表示部５２に表示されたガイド画面と、スピーカユニット５６から出力される音声とを確認することによって、受信レベルが強く、かつ、同期信号を確認可能な、衛星通信に最適なパラボラアンテナ１１の方向を、視覚と聴覚との両方を用いて容易に特定することができる。
【００４４】
次に、図８を参照して、本実施形態による表示端末５０の表示部５２に第１ガイド画面ＩＭ２（図５参照）が表示される際に制御部５７の各機能モジュール（図３参照）により実行される処理フローの一例について説明する。
【００４５】
この処理フローでは、図８に示すように、まず、ステップＳ１において、屋内装置２０から送信される受信レベル情報および同期情報を取得する処理が通信制御部５７ｂにより実行され、ステップＳ２に進む。
【００４６】
次に、ステップＳ２において、登録画面ＩＭ１（図４参照）を介して登録された表示端末５０の現在位置情報に基づいて、表示端末５０に対する通信衛星３０の相対的な位置を算出する処理が演算部５７ｃにより実行され、ステップＳ３に進む。
【００４７】
次に、ステップＳ３において、第１マークＭ１、第２マークＭ２および第３マークＭ３を、第１ガイド画面ＩＭ２のカメラ画像ＩＭ２ａ上に表示する処理が表示制御部５７ｄにより実行され、ステップＳ４に進む。
【００４８】
次に、ステップＳ４において、ステップＳ１において取得された受信レベル情報および同期情報に応じた音声をスピーカユニット５６から出力する処理が音声制御部５７ｅにより実行され、処理が戻る。
【００４９】
次に、図９を参照して、本実施形態による表示端末５０の表示部５２に第２ガイド画面ＩＭ３ａおよびＩＭ３ｂ（図６および図７参照）が表示される際に制御部５７の各機能モジュール（図３参照）により実行される処理フローの一例について説明する。
【００５０】
この処理フローでは、図９に示すように、まず、ステップＳ１１において、屋内装置２０から送信される受信レベル情報および同期情報を取得する処理が通信制御部５７ｂにより実行され、ステップＳ１２に進む。
【００５１】
次に、ステップＳ１２において、ステップＳ１１において取得された同期情報に基づいて、同期信号が確認されたか否かを判断する処理が演算部５７ｃにより実行される。
【００５２】
ステップＳ１２において、同期信号が確認された場合には、ステップＳ１３に進む。そして、ステップＳ１３において、同期が完了した旨（図７の領域Ａ２参照）を受信レベルの強さ（図７の領域Ａ１参照）とともに第２ガイド画面ＩＭ３ｂ（図７参照）に表示する処理が表示制御部５７ｄにより実行される。
【００５３】
一方、ステップＳ１２において、同期信号が確認されなかった場合には、ステップＳ１４に進む。そして、ステップＳ１４において、同期が完了していない旨（図６の領域Ａ２参照）を受信レベルの強さ（図６の領域Ａ１参照）とともに第２ガイド画面ＩＭ３ａ（図６参照）に表示する処理が表示制御部５７ｄにより実行される。
【００５４】
ステップＳ１３またはＳ１４の処理が実行された場合には、ステップＳ１５に進む。そして、ステップＳ１５において、ステップＳ１１において取得された受信レベル情報および同期情報に応じた音声をスピーカユニット５６から出力する処理が音声制御部５７ｅにより実行され、処理が戻る。
【００５５】
以上説明したように、本実施形態では、表示端末５０は、屋内装置２０からＣＳＣ信号の受信レベルを受信し、ＣＳＣ信号に基づく同期信号が確認されるようなパラボラアンテナ１１の設置位置および設置方向を特定するためのガイド画面（第１ガイド画面ＩＭ２、第２ガイド画面ＩＭ３ａまたはＩＭ３ｂ）を表示部５２に表示するように構成されている。これにより、作業者は、ガイド画面を利用して、同期信号が確認されるようなパラボラアンテナ１１の設置位置および設置方向を簡単に特定することができる。
【００５６】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【符号の説明】
【００５７】
１０  屋外装置
１１  アンテナ
２０  屋内装置
３０  通信衛星
５０  表示端末（電子機器）
５２  表示部
５６  スピーカユニット（音声出力部）
１００  衛星通信システム
ＩＭ２  第１ガイド画面
ＩＭ３ａ、ＩＭ３ｂ  第２ガイド画面
Ｍ１  第１マーク
Ｍ２  第２マーク
Ｍ３  第３マーク
【図１】
0005872594.tif 000002
【図２】
0005872594.tif 000003
【図３】
0005872594.tif 000004
【図４】
0005872594.tif 000005
【図５】
0005872594.tif 000006
【図６】
0005872594.tif 000007
【図７】
0005872594.tif 000008
【図８】
0005872594.tif 000009
【図９】
0005872594.tif 000010